(57)【要約】【課題】簡易でコンパクトな表示装置を提供すること。【解決手段】ケースの前面に複数のレンズからなるレンズアレイを配設し、前記ケース内に有形像を配設するとともに、該ケースに前記有形像に光を照射する光照射手段を配設したことを特徴としている。【選択図】　　　　図１
2004045830.tif 000002
【特許請求の範囲】
【請求項１】
ケースの前面に複数のレンズからなるレンズアレイを配設し、前記ケース内に有形像を配設するとともに、該有形像に光を照射するための光照射手段を配設した表示装置であって、前記光照射手段は、前記ケースに形成され外光を取り入れる窓によって構成されるとともに、前記窓は光を透過するが前記有形像が視認不可能に構成されていることを特徴とする表示装置。
【請求項２】
前記窓を半透明材料によって形成したことを特徴とする請求項１に記載の表示装置。
【請求項３】
前記窓を模様入り透明材料によって形成したことを特徴とする請求項１に記載の表示装置。
【請求項４】
前記窓をカット模様が施された透明材料によって形成したことを特徴とする請求項１に記載の表示装置。
【発明の詳細な説明】
【０００１】
【発明の属する技術分野】
本発明は、表示装置に関するもので、詳しくはケース内の有形像を立体的に表示する簡易な表示装置に関するのである。ここに「有形像」とはそれ自体として物理的に支配可能な像であり、立体像（物体像）や平面像（スクリーン等に表示された絵）を含むが、液晶ディスプレイ等に表示される光によって作られる画像は含まない。
【０００２】
【従来の技術】
立体表示装置としては、例えば、特開２００１−１５５４９４に開示されたものがある。この立体表示装置は、平面状の画像表示部と複数のレンズからなるレンズアレイとを平行に配置し、該レンズアレイを介してレンズアレイの前方に画像表示部の２次元画像を結像させるものである。そして、画像表示部として、液晶ディスプレイ等の発光表示手段を必要としている。
【０００３】
【発明が解決しようとする課題】
しかしながら、表示装置を玩具に適用する場合などには、価格の点で、画素数の大きな液晶ディスプレイを用いるのは困難である。その結果、玩具においては、リアルな表示装置を実現するのが困難であった。
【０００４】
そこで、本発明の目的は、玩具にも容易に適用でき、しかもリアルな表示装置を提供することにある。
【０００５】
【課題を解決するための手段】
上記目的を達成するために、本発明に係る表示装置は、ケースの前面に複数のレンズからなるレンズアレイを配設し、前記ケース内に有形像を配設するとともに、該有形像に光を照射するための光照射手段を配設した表示装置であって、前記光照射手段は、前記ケースに形成され外光を取り入れる窓によって構成されるとともに、前記窓は光を透過するが前記有形像が視認不可能に構成されていることを特徴としている。
【０００６】
この表示装置では、光照射手段によって照射された有形像をレンズアレイを介して該レンズアレイの前方に結像させる。
【０００７】
この場合の「有形像」は固定像であってもよいし、動きのある像であってもよい。
【０００８】
また、上記「窓」としては、半透明な材料、例えば曇りガラスのように透明材料の表面を腐食処理等によって粗面としたもの（請求項２）、透明材料の表面に幾何学模様等を描いたもの（請求項３）、透明材料の表面にカット模様を形成したもの（請求項４）等が挙げられる。
また、窓の材料は、着色されたものであってもよい。
【０００９】
また、上記「光照射手段」としては、ケース内に配設され、有形像を前面から照射するライトであってもよく、またライトはＬＥＤでもよい。
この場合には、有形像をスポット的に照射することが好ましい。
【００１０】
【発明の実施の形態】
図１は本発明に係る表示装置の一実施の形態を示した概念的な斜視図である。
【００１１】
ケース１の前壁１ａは多数の凸レンズを並べて配置されたレンズアレイ２によって構成されている。このケース１の天井壁１ｂ，左右側壁１ｃには外光を取り入れるための窓３が形成されている。
また、ケース１内には、後方に固定像（図１の実施の形態では「雲」を示している）４が描かれたスクリーン５が設置されている。この場合の固定像４は有形像である。このスクリーン５は液晶ディスプレイであって、画像発生手段６を構成し、該スクリーン５の後部に機構部６を備えている。
【００１２】
この表示装置では、窓３からケース１内に外光が取り入れられ、その外光によって有形像４が照射され、図２（ａ）に示したように、その反射光によってレンズアレイ２を介してケース１の前方の仮想投影面Ａに固定像４の投影像４ａが結像される。
【００１３】
また、この表示装置では、スクリーン５上に瞬間的に動画像（かみなり様のイラスト画像）７が表示され、その動画像の投影像７ａが結像される。この場合の動画像７は光によって形成されるものであり、物理的に支配不可能なので有形像ではない。
したがって、この表示装置では、図２（ｂ）に示したように、仮想投影面Ａ上に、固定像４の投影像４ａと動画像７の投影像７ａが合成された状態で結像されることになる。
【００１４】
なお、上記実施の形態では、雲を固定像４とし、かみなり様を動画像７としているが、花を固定像とし、蝶を動画像として、図３（ａ）に示したように仮想投影面Ａに花の投影像４ａを結像させ、そこに図３（ｂ）に示したように、蝶の投影像７ａを断続的に結像させるなど、種々の態様をとることができる。
【００１５】
また、窓２は、外光を取り入れるために、透明材料によって構成されるが、透過率をあまり低下させないように、かつケース１内が外部から露見しないように、することが好ましい。
そこで、このような要件は、窓２の表面を図３において、（ａ），（ｂ），（ｃ），（ｄ），（ｅ）にそれぞれ示したように、梨地模様にしたり、開口面積が５０％以下になるようにした丸形模様，ひし形模様，六角形模様，正方形模様に透明部を形成することによって達成される。
また、窓３の表面を図４において、（ａ），（ｂ），（ｃ），（ｄ）に示したように、四角錘，縞，正四角錘台，円錐台にカット加工してもよい。その場合に、各模様単位の幅Ｌが５ｍｍ以下になるようにすることが好ましい。
上記窓３は天井壁１ｂ，側壁１ｃに形成されているが、天井壁１ｂのみでもよく、側壁１ｃのみでもよい。また、それらの壁の全面でなく、部分的であってもよい。
【００１６】
なお、上記実施の形態では、ケース１に窓３を形成し、その窓から外光をケース内に取り入れて固定像４を照射しているが、外光を利用することなく、ケース１内にライトを設置し、そのライトによって固定像４に光を照射してもよい。その場合に、ライトとして３色のＬＥＤを使用し、それらを適宜なタイミングで点灯させるようにしてもよい。
【００１７】
また、上記実施の形態では、スクリーン５を液晶ディスプレイによって構成しているが、例えば、平面的な絵を適宜なアクチュエータによって動かしたり、出没自在に設置させて、スクリーン５上に瞬間的または断続的に突出させてもよい。
【００１８】
また、本発明の表示装置では、固定像および動画像以外の背景はできるだけ黒色にすることが好ましい。
さらにまた、外光を取り入れるばかりでなく、ライトも合わせて使用してもよいことは勿論である。
【００１９】
また、本発明の表示装置では、有形像として固定像４を用いたが、固定像に限定されるものではなく、動きのあるものであってもよいことは勿論である。
【００２０】
なお、本発明の表示装置は、商業的な宣伝のための表示に利用できるばかりでなく、玩具等の商品としても適用できる。
【００２１】
【発明の効果】
本発明に係る表示装置では、ケースの一面にレンズアレイを設置するとともに、ケース内に有形像を設置し、該有形像を外光，ライト等によって照射するだけでよい。したがって、簡易でコンパクトな表示装置が得られる。
【図面の簡単な説明】
【図１】本発明に係る表示装置を一部破断して示した斜視図である。
【図２】本発明に係る表示装置の作用を示したもので、図２（ａ）は固定像が投影された状態を示し、図２（ｂ）は固定像に加え動画像が投影された状態を示した表示措置の斜視図である。
【図３】本発明に係る表示装置の作用を示したもので、図３（ａ）は固定像が投影された状態を示し、図３（ｂ）は固定像に加え動画像が投影された状態を示した表示措置の斜視図である。
【図４】本発明に係る表示装置における窓の形態を示したもので、図４（ａ）〜（ｅ）は腐食等によって表面に施した半透明の模様の例を示した図である。
【図５】本発明に係る表示装置における窓の形態を示したもので、図５（ａ）〜（ｄ）はカッティングによって表面に形成した模様の例を示した図である。
【符号の説明】
１　　　ケース
１ａ　　　前壁
１ｂ　　　天井壁
１ｃ　　　側壁
２　　　レンズアレイ
３　　　窓
４　　　固定像
４ａ　　　投影像
５　　　スクリーン
７　　　動画像
７ａ　　　投影像
Ａ　　　仮想投影面
【図１】
2004045830.tif 000003
【図２】
2004045830.tif 000004
【図３】
2004045830.tif 000005
【図４】
2004045830.tif 000006
【図５】
2004045830.tif 000007